(57)【要約】【課題】携帯電話機のモックアップに内蔵する錘の固定のための接合部材を省略して製造コストを低減すると共に、購入希望者の購入意欲の減退を防止する携帯電話機のモックアップを提供することを目的とする。【解決手段】ダミー画面表示用の表示プレート１と、表面に設けられた保持部３ａに表示プレート１の一の面を固着するケース３と、ケース３の裏面に取り付けられる質量調整用の錘２とを具備する携帯電話機のモックアップ１００において、保持部３ａの一部に表面と裏面とを貫通する開口部３ｂを設け、開口部３ｂを介して表示プレート１の一の面に錘２を固着し、錘２をケース３の裏面に取り付ける。【選択図】図１
2007306378.tif 000002
【特許請求の範囲】
【請求項１】
ダミー画面表示用の表示プレートと、表面に設けられた保持部に前記表示プレートの一の面を固着するケースと、前記ケースの裏面に取り付けられる質量調整用の錘とを具備する携帯電話機のモックアップにおいて、
前記保持部の一部に表面と裏面とを貫通する開口部を設け、前記開口部を介して前記表示プレートの一の面に前記錘を固着し、前記錘を前記ケースの裏面に取り付けることを特徴とする携帯電話機のモックアップ。
【請求項２】
ダミー画面表示用の表示プレートと、前記表示プレートの裏面に塗布された接着剤によって表面に設けられた保持部に前記表示プレートの裏面を貼り付け固定するケースと、前記ケースの裏面に取り付けられる質量調整用の錘とを具備する携帯電話機のモックアップにおいて、
前記保持部の一部に表面と裏面とを貫通する開口部を設け、前記開口部を介して前記表示プレートの裏面に塗布された接着剤によって前記表示プレートの裏面に前記錘を貼り付け、前記錘を前記ケースの裏面に取り付けることを特徴とする携帯電話機のモックアップ。
【発明の詳細な説明】
【技術分野】
【０００１】
本発明は、携帯電話機の販売店等で使用される携帯電話機のモックアップに関する。
【背景技術】
【０００２】
携帯電話機の販売店等においては、実物の携帯電話機の外観を実物そっくりに似せた携帯電話機のモックアップ（模型・サンプル）が展示されている。なお、携帯電話機のモックアップの内部には、実物の回路基板や電池等を内蔵する代わりに、携帯電話機の実際の重量を模擬するための質量調整用の錘が内蔵されている（例えば、特許文献１の段落［０００３］参照）。
【０００３】
図３は、従来の携帯電話機のモックアップ２００を示す分解斜視図である。
図４は、図３に示す従来の携帯電話機のモックアップ２００のＢ−Ｂ断面を示す断面図である。
【０００４】
携帯電話機のモックアップ２００は、表示プレート１１と錘１２とケース１３とスクリーン１４とカバー１５と雄ネジ１６と両面テープ１７とを有する。
【０００５】
ケース１３は樹脂製のケースであり、表面に設けられた凹部１３ａにダミー画面表示用の表示プレート１１を接着剤によって取り付け、裏面に両面テープ１７で錘１２を貼り付け固定する。また、雄ネジ１６と雌ネジ１５ａとによって、両面テープ１７で錘１２を固定したケース１３とカバー１５とを固定する。また、表示プレート１１を取り付けたケース１３の一の面上にスクリーン１４を取り付ける。
【０００６】
このように、モックアップ２００の内部に錘１２を固定するために、両面テープ１７等の接合部材を必要とするので、モックアップ２００の部品が増えると共に組み立て時の作業が複雑となり、製造コストが高くなるという問題があった。この問題を解決するために、例えば、樹脂製のケース１３にツメを設け、このツメで錘１２を固定することが考えられる。ところが、ケース１３にツメを設けた場合には、ケース１３の部材寸法のバラツキが発生し、モックアップ２００内部で重量物である錘１２がガタつくことがある。
【０００７】
そうすると、携帯電話機の販売店等で購入希望者がモックアップ２００を手に取り実際の使い心地を試している場合において、手に取ったモックアップ２００を振ったような場合には、錘１２のガタつきによる異音や振動などが発生し、購入希望者の購入意欲を減退させるという問題があった。
【０００８】
【特許文献１】特開２００１−６９２１０号公報
【発明の開示】
【発明が解決しようとする課題】
【０００９】
本発明は、上記で示した問題点に鑑みてなされたものであり、携帯電話機のモックアップに内蔵する錘の固定のための接合部材を省略して製造コストを低減すると共に、購入希望者の購入意欲の減退を防止する携帯電話機のモックアップを提供することを目的とする。
【課題を解決するための手段】
【００１０】
本発明は、ダミー画面表示用の表示プレートと、表面に設けられた保持部に前記表示プレートの一の面を固着するケースと、前記ケースの裏面に取り付けられる質量調整用の錘とを具備する携帯電話機のモックアップにおいて、前記保持部の一部に表面と裏面とを貫通する開口部を設け、前記開口部を介して前記表示プレートの一の面に前記錘を固着し、前記錘を前記ケースの裏面に取り付けることを特徴とする。
【００１１】
また、本発明は、ダミー画面表示用の表示プレートと、前記表示プレートの裏面に塗布された接着剤によって表面に設けられた保持部に前記表示プレートの裏面を貼り付け固定するケースと、前記ケースの裏面に取り付けられる質量調整用の錘とを具備する携帯電話機のモックアップにおいて、前記保持部の一部に表面と裏面とを貫通する開口部を設け、前記開口部を介して前記表示プレートの裏面に塗布された接着剤によって前記表示プレートの裏面に前記錘を貼り付け、前記錘を前記ケースの裏面に取り付けることを特徴とする。
【発明の効果】
【００１２】
本発明によれば、携帯電話機のモックアップに内蔵する錘の固定のための接合部材を省略して組み立て時の作業を簡素化し製造コストを低減すると共に、購入希望者の購入意欲の減退を防止するという効果を奏する。
【発明を実施するための最良の形態】
【００１３】
以下に、本発明の実施の形態である携帯電話機のモックアップについて、図面を参照して詳細に説明する。
【００１４】
［第１の実施の形態］
図１は、本発明の第１の実施の形態である携帯電話機のモックアップ１００を示す分解斜視図である。
図２は、図１に示す携帯電話機のモックアップ１００のＡ−Ａ断面を示す断面図である。
【００１５】
携帯電話機のモックアップ１００は、携帯電話機の店頭用モックアップであり、表示プレート１と錘２とケース３とスクリーン４とカバー５と雄ネジ６とを有する。
【００１６】
表示プレート１は、液晶画面表示を模したダミー画面表示用の表示プレートであり、裏面に塗布された接着剤によってケース３の保持部３ａに貼り付けられ固定される。
【００１７】
錘２は、質量調整用の錘であり、表示プレート１の裏面に塗布された接着剤によって表示プレート１の裏面に貼り付けられ、モックアップ１００内部に固定される。
【００１８】
ケース３は、表示プレート１を取り付ける保持部３ａを具備する樹脂製のケースであり、接着剤によって表示プレート１と錘２とを貼り付けて固定することができるように、保持部３ａの一部に開口部３ｂが設けられている。つまり、開口部３ｂを介して錘２を貼り付けた表示プレート１をケース３に貼り付けて固定する。なお、ケース３には、テンキー等からなる操作部３ｄがヒンジ結合されている。
【００１９】
スクリーン４は、表示プレート１を取り付けたケース３の面上に接着剤によって貼り付けられ、表示プレート１の表面を保護して覆うスクリーンである。
【００２０】
カバー５は、錘２を取り付けたケース３の背面を覆い、ケース３に設けられた孔３ｃを介してカバー５に設けられた雌ネジ５ａと雄ネジ６とによってケース３に固定される。
【００２１】
雄ネジ６は、ケース３とカバー５とを固定する雄ネジである。
【００２２】
携帯電話機のモックアップ１００は、以上で示した構成を具備し、表示プレート１の裏面に塗布された接着剤によってケース３の保持部３ａと錘２とを表示プレート１の裏面に貼り付ける。つまり、表示プレート１の裏面に塗布された接着剤を用いて錘２をケース３に取り付けることができるので、錘２を固定するための両面テープ等の接合部材が不要であり、当該接合部材を削減し製造コストを低減することができる。
【００２３】
また、表示プレート１の裏面に塗布された接着剤を用いて錘２をケース３に取り付けることができるので、モックアップ１００内部で重量物である錘２のガタつきを防止し、購入希望者の購入意欲の減退を防止することができる。
【００２４】
なお、本実施の形態では、表示プレート１の裏面に塗布された接着剤によってケース３の保持部３ａに表示プレート１を固着すると共に表示プレート１の裏面に錘２を固着しているが、これらの固着手段として他の固着手段を使用するようにしてもよい。
【産業上の利用可能性】
【００２５】
本発明の活用例として、ケースの表面に表示プレートを具備し、内部に錘を具備する携帯電話機の店頭用モックアップ等の携帯通信端末等のモックアップに活用することができる。
【図面の簡単な説明】
【００２６】
【図１】本発明の第１の実施の形態である携帯電話機のモックアップ１００を示す分解斜視図。
【図２】図１に示す携帯電話機のモックアップ１００のＡ−Ａ断面を示す断面図。
【図３】従来の携帯電話機のモックアップ２００を示す分解斜視図。
【図４】図３に示す従来の携帯電話機のモックアップ２００のＢ−Ｂ断面を示す断面図。
【符号の説明】
【００２７】
１、１１…表示プレート、
２、１２…錘、
３、１３…ケース、
４、１４…スクリーン、
５、１５…カバー、
６、１６…雄ネジ、
１７…両面テープ、
１００…携帯電話機のモックアップ、
２００…従来の携帯電話機のモックアップ。
【図１】
2007306378.tif 000003
【図２】
2007306378.tif 000004
【図３】
2007306378.tif 000005
【図４】
2007306378.tif 000006